(57)【要約】【課題】  記憶型液晶表示装置に応力歪みが残らないように補強板等に記憶型液晶表示装置を貼り付けた電子機器を提供する。【解決手段】  電子機器は、平板状の記憶型液晶表示装置６と、記憶型液晶表示装置６が両面テープ３０ａ、３０ｂで貼り付けられる板材２９であって両面テープ３０ａ、３０ｂの角部が当たる領域に前記角部が折り返される範囲より広い面積を有する凹所２９ａ、２９ｂ、…が形成された板材２９と、記憶型液晶表示装置６が両面テープ３０ａ、３０ｂで貼り付けられた板材２９を内部に収納し記憶型液晶表示装置６の表示面を外部に露出させた平板状の筐体２０とを備える。両面テープ３０ａ、３０ｂから剥離紙を剥がすときに粘着層に折返部が生じて厚さが厚くなっても、凹所内であるため、その上から貼り付けた記憶型液晶表示装置６に応力歪みが残ることはない。【選択図】  図２
2005156931.tif 000002
【特許請求の範囲】
【請求項１】
平板状の記憶型液晶表示装置と、前記記憶型液晶表示装置が両面テープで貼り付けられる板材であって前記両面テープの角部が当たる領域に前記角部が折り返される範囲より広い面積を有する凹所が形成された板材と、前記記憶型液晶表示装置が前記両面テープで貼り付けられた前記板材を内部に収納し前記記憶型液晶表示装置の表示面を外部に露出させた平板状の筐体とを備えることを特徴とする記憶型液晶表示装置を搭載した電子機器。
【請求項２】
前記板材には、前記凹所の他に前記板材の軽量化を図る別の凹所が設けられていることを特徴とする請求項１に記載の記憶型液晶表示装置を搭載した電子機器。
【請求項３】
前記電子機器は、電子書籍であることを特徴とする請求項１または請求項２に記載の記憶型液晶表示装置を搭載した電子機器。
【請求項４】
前記電子書籍は、２枚の前記記憶型液晶表示装置を夫々収納した２つの前記筐体を折畳型に連結して構成されていることを特徴とする請求項３に記載の記憶型液晶表示装置を搭載した電子機器。
【発明の詳細な説明】
【技術分野】
【０００１】
本発明は、記憶型液晶表示装置を搭載した電子機器に係り、特に、記憶型液晶表示装置を補強板等の板材に両面テープで貼り付けて固定し筐体内に収納した電子機器に関する。
【背景技術】
【０００２】
液晶表示装置は、圧力が局所的に加わると、その部分の表示が周りに比べておかしくなったりするため、例えば下記特許文献１記載の様に、製造時に局所的な応力歪みが残らないようしている。この従来技術は、液晶表示装置の製造時に関わる技術であるが、液晶表示装置を電子機器内に取り付ける場合にも応力歪みが液晶表示装置に残らないようにする必要がある。
【０００３】
液晶表示装置を例えばノートパソコンの表示画面として筐体内に取り付ける場合、近年では、ネジ止めによって取り付ける代わりに、例えば下記特許文献２、３に記載されている様に、両面テープを利用して貼り付けるのが主流になってきている。
【０００４】
両面テープで液晶表示装置を補強板等に貼り付ける作業を行う場合、作業者は、両面テープの表面に貼り付けられている剥離紙を剥がして粘着面を出し、この粘着面に液晶表示装置を貼り付ける。この剥離紙を剥がす作業を行うとき、作業者は、指の爪先で両面テープの角部を引っ掻き、剥離紙を剥がすことになる。しかし、この作業がうまくいかないと、図５に示す様に、補強板１０１の上に貼られている両面テープ１０２の角部から剥離紙１０３が剥がされたとき、両面テープ１０２の角部が粘着面で折り返されてしまい、その折返部１０４の厚さが他より厚くなってしまう。この両面テープ１０２の上に平板状の液晶表示装置を貼り付けると、折返部１０４の上の部分に応力歪みが残ってしまう。
【０００５】
液晶表示装置には記憶型と呼ばれるものがあり、この記憶型液晶表示装置は、表示データの書き換え時のみ電力が供給され、それ以外のときは、電力供給無しに、表示データがそのまま表示された状態で残る。記憶型液晶表示装置の或る一点を指先で押す（圧力が加わる）と、その部分は電力が供給された状態と同じになり、その表示が保持された状態となる（この状態を、白化現象と呼ぶ）。この白化現象は、表示データの書き換えを行うと消えてしまうため問題はないが、記憶型液晶表示装置を補強板等に両面テープで貼り付けるときに上記の折返部１０４が発生して応力歪みが記憶型液晶表示装置に残ると、その部分が常に周りより白っぽくなり、データの書き換えを行っても白化状態が残ってしまい、その製品の品質を劣化させてしまう。
【０００６】
【特許文献１】特開平１１―１６０７１９号公報
【特許文献２】特開２０００―３３００９６号公報
【特許文献３】特開２００３―２６２８４９号公報
【発明の開示】
【発明が解決しようとする課題】
【０００７】
しかしながら、両面テープの角部に折返部が生じないように慎重に両面テープの表面から剥離紙を剥がす作業を行えば、両面テープに貼り付けられた記憶型液晶表示装置に応力歪みは残らないが、そのために作業時間が長くなり、製品の製造効率を劣化させコスト上昇を招いてしまうという別の問題が生じる。
【０００８】
本発明の目的は、記憶型液晶表示装置を両面テープで補強板等の板材に貼り付ける作業を迅速に行うことができ、しかも、応力歪みが記憶型液晶表示装置に残らないようにした電子機器を提供することにある。
【課題を解決するための手段】
【０００９】
本発明の記憶型液晶表示装置を搭載した電子機器は、平板状の記憶型液晶表示装置と、前記記憶型液晶表示装置が両面テープで貼り付けられる板材であって前記両面テープの角部が当たる領域に前記角部が折り返される範囲より広い面積を有する凹所が形成された板材と、前記記憶型液晶表示装置が前記両面テープで貼り付けられた前記板材を内部に収納し前記記憶型液晶表示装置の表示面を外部に露出させた平板状の筐体とを備えることを特徴とする。
【００１０】
この構成により、両面テープの剥離紙の剥離作業で両面テープの粘着層に折返部ができてしまっても、この折返部は板材の凹所内となるため、両面テープの上に記憶型液晶表示装置を貼り付けても、折返部によって記憶型液晶表示装置に応力歪みが残留することはない。このため、剥離紙の剥離作業を迅速且つ容易に行うことができる。
【００１１】
本発明の記憶型液晶表示装置を搭載した電子機器の前記板材には、前記凹所の他に前記板材の軽量化を図る別の凹所が設けられていることを特徴とする。
【００１２】
この構成により、電子機器の軽量化も同時に達成可能となる。
【００１３】
本発明の記憶型液晶表示装置を搭載した電子機器は、電子書籍であることを特徴とする。
【００１４】
この構成により、電子書籍の画面に表示されているデータの品質劣化が少ないため、高品質な電子書籍を安価に提供可能となる。
【００１５】
本発明の記憶型液晶表示装置を搭載した前記電子書籍は、２枚の前記記憶型液晶表示装置を夫々収納した２つの前記筐体を折畳型に連結して構成されていることを特徴とする。
【００１６】
この構成により、２画面で大量のデータを表示できると共に、不使用時に折り畳むことで画面保護を図ることが可能となる。
【発明の効果】
【００１７】
本発明によれば、記憶型液晶表示装置に応力歪みが残らない様に、迅速に、記憶型液晶表示装置を補強板などに両面テープで貼り付けることができるので、高品質の電子機器を安価に提供することができる。
【発明を実施するための最良の形態】
【００１８】
以下、本発明の一実施形態について、図面を参照して説明する。
【００１９】
図１は、本発明の一実施形態に係る記憶型液晶表示装置を搭載した電子機器の一例である折畳型の電子書籍を１８０°開いた状態を示す斜視図である。この電子書籍１は、右側本体部２と左側本体部３とをヒンジ部４で開閉自在に連結して構成される。右側本体部２と左側本体部３とには夫々平板状の記憶型液晶表示装置５、６が取り付けられており、右側本体部２の下辺部には、４つの操作ボタン７、８、９、１０が設けられ、左側本体部３の左下隅には１つの操作ボタン１１が設けられている。
【００２０】
図示しないメモリカードが装着された図１の電子書籍１は、このメモリカードから文章データを読み出し、ユーザが操作ボタン７〜１１で指定した書式で２つの記憶型液晶表示装置５、６に表示し、ページ更新操作が入力されたとき、次の２頁分のデータをメモリカードから読み出し、記憶型液晶表示装置５、６に表示する。
【００２１】
図２は、左側本体部３の分解図であり、記憶型液晶表示装置６の取り付け構造を示す図である。右側本体部２に記憶型液晶表示装置５を取り付ける構造も同様である。
【００２２】
左側本体部３は、内部が空洞の平板状の樹脂製筐体２０を備え、樹脂製筐体２０の前面の広い面積に記憶型液晶表示装置６の画面を露出する窓２１が形成されている。
【００２３】
記憶型液晶表示装置６は、前面にガラス板が設けられた平板状の液晶本体部２２と、液晶本体部２２の左辺に可撓性フラットケーブル２３で接続され表示制御信号を出力する第１基板２５と、液晶本体部２２の下辺に可撓性フラットケーブル２４で接続され表示制御信号を出力する第２基板２６とを備える。矩形の液晶本体部２２は、樹脂製筐体２０の窓２１より若干大きめに形成されており、前面周囲には、厚さ０．５ｍｍ、幅１ｍｍのシリコンゴムなどの弾性体２７が貼り付けられている。
【００２４】
液晶本体部２２を両面テープで貼り付ける補強板２９は、本実施形態では、厚さ０．５ｍｍ程度のアルミ板を使用する。補強板２９には、図示する例では、計８個の凹所、この例では円形の貫通穴２９ａ、２９ｂ、２９ｃ、２９ｄ、２９ｅ、２９ｆ、２９ｇ、２９ｈが穿設されている。そして、この補強板２９の表面に、２枚の矩形の両面テープ３０ａ、３０ｂが縦に並べて貼り付けられている。
【００２５】
これらの貫通穴２９ａ〜２９ｈは、補強板２９の軽量化すなわち電子書籍１の軽量化を図るために設けられるが、本実施形態では、軽量化のためのこれら貫通穴を、両面テープ３０ａ、３０ｂの剥離紙の剥離作業を迅速に行えるように、その穿設位置に工夫を凝らしている。
【００２６】
即ち、貫通穴２９ａ、２９ｂ、２９ｆ、２９ｇは、矩形の両面テープ３０ａの四隅の夫々がほぼ中心位置となる位置に設けられ、また、貫通穴２９ｂ、２９ｃ、２９ｇ、２９ｈも、矩形の両面テープ３０ｂの四隅の夫々がほぼ中心位置となる位置に設けられる。
【００２７】
両面テープ３０ａ、３０ｂの夫々の四隅に設けられるこれら貫通穴は、剥離紙を剥がすときに生じる虞のある図５で説明した折返部１０４の面積より広い面積例えば直径１ｃｍ程度あれば十分であるが、貫通穴の機能が軽量化も兼ねているため、それ以上の径の貫通穴、例えば直径５ｃｍ程度の貫通穴とするのが良い。尚、貫通穴の形状は、円形に限るものでないことはいうまでもない。
【００２８】
斯かる構成の補強板２９に、両面テープ３０ａ、３０ｂの表面の剥離紙を剥がして液晶本体部２２を貼り付け、第１基板２５と第２基板２６を夫々矢印Ａ、Ｂ方向に移動させて補強板２９の裏側に配置し、記憶型液晶表示装置６と補強板２９とを一体化させる。
【００２９】
図３は、補強板２９に一体化された記憶型液晶表示装置６の透視図であり、図４は、図３のIV―IV線断面図である。図４において、補強板２９に設けられた貫通穴２９ｆ内に、両面テープ３０ａの隅が配置される。補強板２９の裏面全面には絶縁シート３４が貼り付けられており、その背面側に、電子部品３５が搭載されている第１基板２５が折り返される。
【００３０】
両面テープ３０ａに液晶本体部２２を貼り付けるに際し、組立作業者は、両面テープ３０ａの表面に貼り付けられている剥離紙を剥がして粘着面を露出させる必要があり、両面テープ３０ａの隅に指の爪先を当てて剥離紙を剥がすことになる。この作業を行うとき、本実施形態の補強板２９を用いることで、両面テープ３０ａの隅に両面テープ３０ａの折返部３６が生じても、その折返部３６の厚さは、〔補強板２９の厚さ＋両面テープ３０ａの厚さ〕より薄いため、その上に液晶本体部２２を貼り付けても、折返部３６によって液晶本体部２２に応力歪みが残ることはない。
【００３１】
また、折返部３６の厚さが〔補強板２９の厚さ＋両面テープ３０ａの厚さ〕より厚くなったとしても、両面テープ３０ａの粘着層は柔らかいため、液晶本体部２２を折返部３６に押し付けることで、折返部３６は貫通穴２９ｆ内で広がり、液晶本体部２２に応力歪みが残ることはない。
【００３２】
この様にして補強板２９に一体化されユニット化された記憶型液晶表示装置６は、樹脂製筐体２０内に挿入され、補強板２９の四隅に設けられたネジ穴３１と、第１基板２５、第２基板２６の隅に設けられたネジ穴３２に図示しない雄ネジを通して樹脂製筐体２０の四隅に設けられたネジ穴３３に共締めすることで、樹脂製筐体２０内に固定される。
【００３３】
以上述べた様に、本実施形態に係る電子書籍では、両面テープから剥離紙を剥がす作業で粘着層の折返部が生じても応力歪みが残らないため、剥離紙の剥離作業を迅速に行うことが可能となる。また、両面テープの四隅の夫々に補強板の凹所を設けているため、どの隅から剥離紙を剥がしても良くなり、剥離紙の剥離作業がより一層容易となる。
【００３４】
また、本実施形態に係る電子書籍は、液晶本体部２２の周囲にシリコンゴム２７を配しているため、液晶本体部２２の周囲に加わる衝撃や圧力はシリコンゴム２７で吸収される。液晶本体部２２の周囲には余白部分があり、この余白部分に応力がかかっても液晶は変色しないため、シリコンゴム２７による緩衝効果は小さくてよい。このため、本実施形態では、シリコンゴム２７の厚さを０．５ｍｍ、幅を１ｍｍとしている。
【００３５】
更に、本実施形態の電子書籍は、小さな圧力が加わっても白化現象が起きてしまう液晶本体部２２の中央部を、大面積の両面テープ３０ａ、３０ｂで緩衝する構成にしている。図３に示すように、液晶本体部２２を補強板２９に貼り付ける両面テープ３０ａ、３０ｂの寸法を、液晶本体部２２の外径寸法に対して少なくとも６０％以上にしているため、液晶本体部２２の中央部に加わる衝撃や圧力は、両面テープ３０ａ、３０ｂの粘着層によって吸収され、液晶の変色は抑制される。
【産業上の利用可能性】
【００３６】
本発明の両面テープによる液晶表示装置の固定構造は液晶表示装置に応力歪みを残さないため、記憶型液晶表示装置を搭載する電子書籍等の電子機器の高品質化，低コスト化に有用である。
【図面の簡単な説明】
【００３７】
【図１】本発明の一実施形態に係る電子書籍を１８０°開いた状態の斜視図
【図２】本発明の一実施形態に係る電子書籍の左側本体部の分解図
【図３】本発明の一実施形態に係る記憶型液晶表示装置を補強板と一体化させた状態を示す透視図
【図４】本発明の一実施形態に係る記憶型液晶表示装置を補強板と一体化させたものの要部断面図
【図５】従来の両面テープによる不具合説明図
【符号の説明】
【００３８】
１  電子書籍
３  左側本体部
５、６  記憶型液晶表示装置
２０  樹脂製筐体
２１  窓
２２  液晶本体部
２３、２４  可撓性フラットケーブル
２５、２６  基板
２７  弾性体（シリコンゴム）
２９  補強板
２９ａ〜２９ｈ  貫通穴（凹所）
３０ａ、３０ｂ  両面テープ
３４  絶縁シート
３５  電子部品
３６  両面テープの粘着層の折返部
【図１】
2005156931.tif 000003
【図２】
2005156931.tif 000004
【図３】
2005156931.tif 000005
【図４】
2005156931.tif 000006
【図５】
2005156931.tif 000007